(57)【要約】  着衣に取付けられた多数の生体用電極を軽操作力でモジュールに電気接続する生体用電極の接続具を提供する。  布地からなる着衣本体に取付けられた多数の生体用電極と、モジュール支持部に固定されるモジュールを、スライドファスナーの生体用電極に電気接続する導電性外側エレメントとモジュールに電気接続する導電性内側エレメントとをスライダーをスライドさせて咬合する。スライダーをスライドさせる軽操作力で多数の生体用電極とモジュールが電気接続するとともに、モジュールは着衣本体に支持される。
2018220729.tif 000002
【特許請求の範囲】
【請求項１】
体表面に密着する背面に複数の生体用電極が取付けられた布地からなる着衣本体と、
複数の前記生体用電極との間で電気信号を入力及び／又は出力するモジュールと、
前記モジュールに固定され、前記モジュールの周囲を囲う内側環状布帯を有するモジュール支持部と、
前記内側環状布帯の外側の縁に沿って着衣本体に形成される外側環状布帯と、
前記内側環状布帯と前記外側環状布帯との合わせ目の咬合線に沿って、前記内側環状布帯に固定される多数の内側エレメントと、前記咬合線に沿って前記外側環状布帯に固定される多数の外側エレメントと、前記咬合線で向かい合う各組の前記内側エレメントと前記外側エレメントを咬合させて内側環状布帯と外側環状布帯とを連結するスライダーとからなるスライドファスナーとを備え、
前記各生体用電極毎に対応して咬合する各組の内側エレメントと外側エレメントをそれぞれ導電材料で形成する導電性内側エレメントと導電性外側エレメントとし、
前記着衣本体に形成される外側導電路を介して前記各生体用電極に電気接続する前記導電性外側エレメントと、モジュール支持部に形成される内側導電路を介して前記モジュールに電気接続する前記導電性内側エレメントを咬合させて、前記各生体用電極を前記モジュールに電気接続することを特徴とする生体用電極の接続具。
【請求項２】
前記着衣本体は、前記外側環状布帯を除いて伸縮性繊維による布地から円筒状に形成されたサポーターであることを特徴とする請求項１に記載の生体用電極の接続具。
【請求項３】
前記外側導電路は、前記着衣本体の布地に導電性線維を帯状に縫い合わせて形成され、その背面側が絶縁性繊維で覆われることを特徴とする請求項１又は請求項２のいずれか１項に記載の生体用電極の接続具。
【請求項４】
導電性線維を縫い合わせて前記外側導電路に連続して前記生体用電極を形成することを特徴とする請求項３に記載の生体用電極の接続具。
【請求項５】
前記スライダーにより前記内側エレメントと前記外側エレメントを始めに咬合させる位置における前記咬合線に沿って隣り合う前記内側エレメント間のピッチは、他の位置で前記咬合線に沿って隣り合う前記内側エレメント間のピッチと異なり、複数の前記外側エレメントは、前記咬合線に沿って隣り合う全ての前記内側エレメント間のピッチにそれぞれ一致するピッチで前記咬合線に沿って固定されることを特徴とする請求項１又は請求項２のいずれか１項に記載の生体用電極の接続具。
【請求項６】
前記内側環状布帯と前記外側環状布帯の表面が前記モジュール支持部及び／又は前記着衣本体に一体に形成された防水カバーで覆われることを特徴とする請求項１又は請求項２のいずれか１項に記載の生体用電極の接続具。
【請求項７】
前記咬合線に沿った少なくともいずれか一側に固定される前記内側エレメントには、前記内側導電路が電気接続されないことを特徴とする請求項１又は請求項２のいずれか１項に記載の生体用電極の接続具。
【請求項８】
スライダーは絶縁材料から形成されることを特徴とする請求項１又は請求項２のいずれか１項に記載の生体用電極の接続具。
【請求項９】
前記導電性内側エレメントと前記導電性外側エレメントは、導電性樹脂で成型され、
前記咬合線に沿って隣り合う少なくとも一対の前記導電性内側エレメントの間に挟持されて咬合する外側エレメントと、前記咬合線に沿って隣り合う少なくとも一対の前記導電性外側エレメントの間に挟持されて咬合する内側エレメントは、絶縁樹脂で成型されることを特徴とする請求項１又は請求項２のいずれか１項に記載の生体用電極の接続具。
【発明の詳細な説明】
【技術分野】
【０００１】
本発明は、複数の生体用電極をそれぞれ生体用電極との間で電気信号を入出力するモジュールへ電気接続する生体用電極の接続具に関し、更に詳しくは、着衣の布地に取付けられた複数の生体用電極をモジュールへ電気接続する生体用電極の接続具に関する。
【背景技術】
【０００２】
筋力アップやダイエットを目的として、筋に電気刺激信号を加え筋を伸縮させてトレーニングする筋トレーニング装置では、トレーニングする筋の体表面に複数の生体用電極を密着させ、各生体用電極を介して体表面内の筋へ電気刺激信号を加えて強制的に伸縮させ、筋をトレーニングしている。また、筋の組成や筋の活動状態を得る筋の評価装置や四肢の随意筋の伸縮状態から四肢の運動を検出するゲーム機などに利用されるモーション検出装置では、筋が伸縮することにより、筋の体表面に密着させる複数の生体用電極に表れる筋活動電位の筋電信号から筋の組成や疲労度、伸縮状態を検出している。【０００３】
これらの複数の生体用電極を、専門的な知識のない一般の利用者であっても正確に筋の体表面の位置に密着させるようにするため、布地からなる着衣の体表面に密着する背面の所定位置へ複数の生体用電極を取付けておき、着衣を装着すれば複数の生体用電極が自然に筋の体表面の適正な位置に密着するようにしている。【０００４】
一方、筋に電気刺激信号を加えたり、筋に生じる筋活動電位の筋電信号を検出するいずれの場合であっても、各生体用電極へ電気刺激信号を出力する回路素子や各生体用電極に表れる筋活動電位を入力する回路素子を各生体用電極に電気接続する必要があり、これらの回路素子や電源、外部との入出力回路素子等を内蔵するモジュールを複数の生体用電極とともに着衣に取付けている。【０００５】
しかしながら、複数の生体用電極が取付けられた着衣を水洗いしたり、モジュールに内蔵のバッテリーを充電する場合、若しくは自宅でトレーニングし、トレーニングした筋の筋電信号を記録したモジュールのみを別の場所の筋の評価装置へ持ち運び評価する場合には、モジュールのみを着衣に着脱自在にする必要があり、モジュールの着脱の際に、各生体用電極との電気接続を接離する生体用電極の接続具を設けている。【０００６】
特許文献１に記載された従来の生体用電極の接続具１００は、互いに接離する一対の導電性面ファスナー１０２、１０３を用いて複数の着衣１０１に取付けられた複数の生体用電極１０４とモジュール１０５との電気接続を接離している。以下、この接続具１００を図７（ａ）（ｂ）を用いて説明すると、６個の生体用電極１０４がＴシャツ型の着衣１０１の体表面に密着する背面側であって、筋の体表面の筋電信号を検出可能な位置に取り付けられている。【０００７】
また、着衣１０１には、筋電信号を記録する記録器であるモジュール１０５を収容するポケットＰが形成され、図７（ｂ）に示すように、ポケットＰの内底面には、着衣１０１の布地に導電性線維を縫い込んで形成される導電路を介してそれぞれ３個の生体用電極１０４に電気接続する３枚の生体側導電性面ファスナー１０２が露出している。一方、モジュール１０５には、モジュール１０５をポケットＰへ収容した際に、３枚の生体側導電性面ファスナー１０２に対向する底面の各位置にモジュール１０５の入力端子となるモジュール側導電性面ファスナ１０３ーが形成されている。従って、モジュール１０５を着衣１０１のポケットＰへ収容すると、ポケットＰ内で対向する一対の導電性面ファスナー１０２、１０３間が密着して相互に電気接続し、複数の生体用電極１０４とモジュール１０５が電気接続し、ポケットＰからモジュール１０５を引き抜けば、密着する一対の導電性面ファスナー１０２、１０３間が離れ、着衣１０１からモジュール１０５を分離させることができる。【０００８】
上述の生体用電極の接続具１００では、対となる導電性面ファスナー１０２、１０３間の接触抵抗が高く、生体用電極１０４に表れる微小な筋電信号をモジュール１０５に入力する際のＳＮ比が低く、精度よく筋電信号から筋の組成や疲労度、伸縮状態を検出できない。また、着衣１０１に取付ける生体用電極１０４の数が増加すると、限られた着衣１０１の取付スペースに全ての生体側導電性面ファスナー１０２を取付けることが困難となり、更に対となる全ての導電性面ファスナー１０２、１０３間を密着させる手間がかかる。【０００９】
着衣の布地に取り付けられた多数の生体用電極を容易にモジュールへ電気接続する接続具として本願の発明者は、図８に示す構造の生体用電極の接続具１１０を検討した。この接続具１１０は、伸縮性繊維による布地から円筒状に形成されたサポーター１１１の体表面に密着する背面の適宜位置に取り付けられた２５個の生体用電極１１２を筋電信号を入力するモジュール１１３へ電気接続するものである。サポーター１１１の表面には、モジュール１１３の周囲に外嵌する枡形のモジュールホルダ１１４が固定され、その枡形の内底面に、２５個の各生体用電極１１２にそれぞれ電気接続する２５個の生体側接続電極１１５が互いに絶縁して露出している。モジュールホルダ１１４は、水洗い可能とするサポーター１１１に固定されるので、生体側接続電極１１５は水滴が触れても腐食しない導電ゴムで形成される。【００１０】
モジュールホルダ１１４の２５個の各生体側接続電極１１５にそれぞれ対向するモジュール１１３の底面の部位には、各生体側接続電極１１５と対となって電気接続するモジュール側接続電極（図示せず）が臨んでいる。また、モジュール１１３の側面には、モジュール１１３を枡形のモジュールホルダ１１４に収容した際に、モジュールホルダ１１４の係合凹部１１４ａに係合する係合突起１１３ａが突設され、枡形のモジュールホルダ１１４からモジュール１１３が抜け止めされる。【００１１】
この接続具１１０によれば、モジュールホルダ１１４にモジュール１１３を収容すれば、対向する２５個の生体側接続電極１１５と２５個のモジュール側接続電極がそれぞれ突当て接触し、対となる生体側接続電極１１５とモジュール側接続電極を介して２５個の生体用電極１１２を一括してモジュール１１３へ電気接続させることができる。逆に、モジュールホルダ１１４の係合凹部１１４ａとモジュール１１３の係合突起１１３ａとの係合を解いてモジュール１１３をモジュールホルダ１１４から取り外せば、モジュール１１３を生体用電極１１２が取り付けられたサポーター１１１から分離させることができる。【００１２】
また、着衣の布地に取り付けられた多数の生体用電極を容易にモジュールへ電気接続することが可能な接続具として、スライドファスナーを用いた接続具１２０も特許文献２により開示されている。この接続具１２０は、図９に示すように、一方の帯状の絶縁性布地１２１Ａの長手方向に沿って所定間隔で固定される多数の第１エレメント１２２と、他方の帯状の絶縁性布地１２１Ｂの長手方向に沿って所定間隔で固定される多数の第２エレメント１２３と、向かい合う第１エレメント１２２と第２エレメント１２３を咬合させて絶縁性布地１２１Ａと絶縁性布地１２１Ｂとを連結するスライダー１２４とからなるスライドファスナー１２６を備えている。【００１３】
スライドファスナー１２６の第１エレメント１２２と第２エレメント１２３は、全ての向かい合うエレメント１２２、１２３が咬合する状態で、長手方向に沿って隣り合う第１エレメント１２２間及び長手方向に沿って隣り合う第２エレメント１２３間が短絡しないように、第１エレメント１２２と第２エレメント１２３の一部が絶縁性の第１エレメント１２２ａと第２エレメント１２３ａと、残りが導電性の第１エレメント１２２ｂと第２エレメント１２３ｂとなっている。この導電性の第１エレメント１２２ｂと第２エレメント１２３ｂには、それぞれ導電性ターミナル１２４が一体に固定され、導電性ターミナル１２４に端末を固着させたリード線１２５が電気接続している。【００１４】
この接続具１２０によれば、例えば、絶縁性布地１２１Ａに着衣の布地を縫い付け、絶縁性布地１２１Ｂにモジュールを支持する布地を縫い付け、複数の第１エレメント１２２ｂに接続するリード線１２５の他側をそれぞれ着衣の布地に取り付けられた多数の生体用電極に、複数の第２エレメント１２３ｂに接続するリード線１２５の他側を、それぞれモジュールの対応する入力端子に接続すれば、スライダー１２４をスライドさせて第１エレメント１２２と第２エレメント１２３を咬合させるだけで、モジュールを着衣に取り付けると同時に、咬合する導電性の第１エレメント１２２ｂと第２エレメント１２３ｂを介して、多数の生体用電極をモジュールへ電気接続させることができる。
【先行技術文献】
【特許文献】
【００１５】
【特許文献１】特許３７１１２３６号号公報
【特許文献２】特開平５−３３５０４５号公報
【発明の概要】
【発明が解決しようとする課題】
【００１６】
従来の生体用電極の接続具１００では、モジュール１０５に接続する生体用電極１０４の数に相当する対となる導電性面ファスナー１０２、１０３を備える必要があり、生体用電極１０４が多数になると、ポケットＰの内側などの取り付けスペースが限られた着衣を１０１に全ての導電性面ファスナー１０２、１０３を取り付けることができない。【００１７】
また、着衣１０１が伸縮して、着衣１０１の布地に露出する生体側導電性面ファスナー１０２間のピッチがモジュール１０５側に取り付けられたモジュール側導電性面ファスナ１０３のピッチとずれ、対となる導電性面ファスナー１０２、１０３間が対向せず、生体用電極１０４がモジュール１０５に電気接続しない場合がある。【００１８】
更に、電源を内蔵するモジュール１０５は一定の重量があるので、導電性面ファスナー１０２、１０３間を密着させただけでは、モジュール１０５を着衣１０１に強固に取り付けることができず、筋に負荷を加える運動中に着衣１０１に対してモジュール１０５が揺れ動き、着衣１０１から脱落する恐れがあった。【００１９】
また、本発明者が検討した接続具１１０は、モジュールホルダ１１４に露出する生体側接続電極１１５にモジュール１１３の底面に臨むモジュール側接続電極を接触させるコネクタの構造で生体用電極１１２をモジュール１１３へ電気接続するので、モジュール１１３をモジュールホルダ１１へ嵌合接続するだけで、多数の生体用電極１１２を一括してモジュール１１３へ電気接続できるが、低接触抵抗で生体側接続電極１１５と生体側接続電極１１５間を電気接続させるには所定の接触圧を要するので、多数のモジュール側接続電極を同時に対向する生体側接続電極１１５へ接続させるには、極めて大きな操作力が必要となる。【００２０】
特に接続具１１０では、生体側接続電極１１５を水滴が触れても腐食しない導電ゴムで形成するので、１極の導電ゴムの生体側接続電極１１５あたりで５００ｇの接触圧を要し、２５極の生体側接続電極１１５とモジュール側接続電極間の電気接続には、モジュール１１３を１２．５ｋｇの力でモジュールホルダ１１４へ嵌合させなければならず、実用に適さない。【００２１】
また、モジュール１１３は、係合突起１１３ａをモジュールホルダ１１４の係合凹部１１４ａに係合して枡形のモジュールホルダ１１４に取り付けるだけなので、筋に負荷を加える運動中にがたついたり、衝撃でモジュール１１３が脱落する恐れがある。【００２２】
更に、モジュール１１３は、サポーター１１１の表面に固定されモジュールホルダ１１４に取り付けられるので、サポーター１１１の表面側に突出し、運動中にまわりの物にひっかかる恐れがある。【００２３】
従来の接続具１２０によれば、スライドファスナー１２５を利用して軽操作力で多数の生体用電極をモジュールへ電気接続できるが、サポーター１１１などの伸縮性の生地にエレメント１２２を固定すると、隣り合うエレメント１２２間の間隔が延びて、向かい合うエレメント１２３との咬合が外れて、モジュールが外れたり、生体用電極がモジュールに電気接続しなくなる恐れがある。【００２４】
更に、多数の生体用電極を接続する場合には、少なくとも同数以上の第１エレメント１２２もしくは第２エレメント１２３をスライダー１２４のスライド方向に沿って取り付ける必要があるので、例えば、第１エレメント１２２もしくは第２エレメント１２３間のピッチは１ｍｍ以下となり、個々のエレメント１２２、１２３に生体用電極やモジュールに接続するためのリード線１２５を電気接続するのは極めて困難であるので、実用化されていなかった。【００２５】
本発明は、このような従来の問題点を考慮してなされたものであり、着衣に取付けられた多数の生体用電極を軽操作力でモジュールに電気接続する生体用電極の接続具を提供することを目的とする。【００２６】
また、着衣に取付けられるモジュールを、がたつきなく、脱落することなく支持する生体用電極の接続具を提供することを目的とする。
【課題を解決するための手段】
【００２７】
上述の目的を達成するため、請求項１に記載の生体用電極の接続具は、体表面に密着する背面に複数の生体用電極が取付けられた布地からなる着衣本体と、複数の生体用電極との間で電気信号を入力及び／又は出力するモジュールと、モジュールに固定され、モジュールの周囲を囲う内側環状布帯を有するモジュール支持部と、内側環状布帯の外側の縁に沿って着衣本体に形成される外側環状布帯と、内側環状布帯と外側環状布帯との合わせ目の咬合線に沿って、内側環状布帯に固定される多数の内側エレメントと、咬合線に沿って外側環状布帯に固定される多数の外側エレメントと、咬合線で向かい合う各組の内側エレメントと外側エレメントを咬合させて内側環状布帯と外側環状布帯とを連結するスライダーとからなるスライドファスナーとを備え、
各生体用電極毎に対応して咬合する各組の内側エレメントと外側エレメントをそれぞれ導電材料で形成する導電性内側エレメントと導電性外側エレメントとし、着衣本体に形成される外側導電路を介して各生体用電極に電気接続する導電性外側エレメントと、モジュール支持部に形成される内側導電路を介してモジュールに電気接続する導電性内側エレメントを咬合させて、各生体用電極をモジュールに電気接続することを特徴とする。【００２８】
スライダーを内側環状布帯と外側環状布帯との合わせ目の咬合線に沿ってスライドすると、向かい合う内側エレメントと外側エレメントとが順次咬合し、モジュール支持部の内側環状布帯と、内側環状布帯の外側の着衣本体の縁に沿って形成される外側環状布帯とが連結され、モジュールは、モジュール支持部に連結する着衣本体に支持される。【００２９】
全ての内側エレメントと外側エレメントの内、各生体用電極毎に対応して向かい合う導電性内側エレメントと導電性外側エレメントが咬合するので、スライダーを内側環状布帯と外側環状布帯との合わせ目に沿ってスライドさせる軽操作力で、多数の生体用電極がそれぞれモジュールに電気接続する。【００３０】
モジュールは、モジュール支持部に形成される内側導電路を介して、モジュールの周囲を囲う内側環状布帯に固定される導電性内側エレメントに電気接続する。【００３１】
請求項２に記載の生体用電極の接続具は、着衣本体が、外側環状布帯を除いて伸縮性繊維による布地から円筒状に形成されたサポーターであることを特徴とする。【００３２】
装着する身体の外径より円筒状の内径がわずかに短いサポーターを身体に装着すると、サポータの布地が伸張し、複数の生体用電極は筋の体表面の所定位置に自然に密着する。【００３３】
また、モジュール支持部のモジュールの周囲を囲う内側環状布帯は、伸張するサポーターの縁に沿って形成される外側環状布帯により外側に引っ張られ、モジュールは、体表面の方向に付勢された状態でモジュール支持部に固定される。【００３４】
請求項３に記載の生体用電極の接続具は、外側導電路が、着衣本体の布地に導電性線維を帯状に縫い合わせて形成され、その背面側が絶縁性繊維で覆われることを特徴とする。【００３５】
外側導電路を導電性線維を帯状に縫い合わせて形成しても、生体用電極と導電性外側エレメント間の抵抗値を数Ω以下とすることができ、ＳＮ比が高く、生体用電極に表れる微小な筋電信号を精度よく検出できる。【００３６】
着衣本体の布地に導電性線維を帯状に縫い合わせて外側導電路を形成するので、着衣本体の形成とともに外側導電路を形成でき、背面側は絶縁性繊維で覆われるので、体表面に接触しない。【００３７】
また、着衣部の背面側にリード線などを配線することなく、背面から突出することなく外側導電路を形成できるので、着衣部の体表面と密着する背面に凹凸が生じない。【００３８】
帯状の外側導電路を狭ピッチで着衣本体の布地に形成できるので、狭ピッチの外側エレメントに容易に接続できる。【００３９】
請求項４に記載の生体用電極の接続具は、導電性線維を縫い合わせて外側導電路に連続して生体用電極を形成することを特徴とする。【００４０】
着衣本体の形成の際に、複数の生体用電極と各生体用電極に接続する外側導電路を併せて形成できる。【００４１】
また、着衣部の体表面と密着する背面に凹凸が生じることなく、生体用電極を取付けることができる。【００４２】
請求項５に記載の生体用電極の接続具は、スライダーにより内側エレメントと外側エレメントを始めに咬合させる位置における咬合線に沿って隣り合う内側エレメント間のピッチは、他の位置で咬合線に沿って隣り合う内側エレメント間のピッチと異なり、複数の外側エレメントは、咬合線に沿って隣り合う全ての内側エレメント間のピッチにそれぞれ一致するピッチで咬合線に沿って固定されることを特徴とする。【００４３】
複数の外側エレメントは、咬合線に沿って隣り合う全ての内側エレメント間のピッチにそれぞれ一致するピッチで固定されるので、スライダーにより内側エレメントと外側エレメントを始めに咬合させる位置で一組の内側エレメントと外側エレメントが向かい合っていれば、スライダーをスライドさせた他の位置で、残る全ての組の内側エレメントと外側エレメントが咬合する。【００４４】
一方、スライダーにより内側エレメントと外側エレメントを始めに咬合させる位置で内側エレメントがピッチずれにより他の組の外側エレメントと向かい合っている場合には、スライダをスライドさせた他の位置で、咬合線に沿って隣り合う内側エレメント間のピッチが異なるものとなっているので、いずれの外側エレメントとも向かい合わず、スライダーをスライドさせて咬合させることができない。【００４５】
請求項６に記載の生体用電極の接続具は、内側環状布帯と外側環状布帯の表面がモジュール支持部及び／又は着衣本体に一体に形成された防水カバーで覆われることを特徴とする。【００４６】
導電性内側エレメントや導電性外側エレメントが露出する内側環状布帯と外側環状布帯の表面が防水カバーで覆われるので、導電性内側エレメントや導電性外側エレメントに使用者の汗や水滴がかかることがない。【００４７】
請求項７に記載の生体用電極の接続具は、咬合線に沿った少なくともいずれか一側に固定される内側エレメントには、内側導電路が電気接続されないことを特徴とする。【００４８】
咬合線に沿った少なくともいずれか一側に固定される内側エレメントは、内側エレメントと外側エレメントを咬合させる前の待機位置若しくは全ての組の内側エレメントと外側エレメントを咬合させた終端位置で停滞するスライダーの背面側にあり、待機位置若しくは終端位置で停滞するスライダーと内側エレメントの間に毛細管現象によって汗や水滴が滞留して、内側エレメントと他の導電体との間の絶縁不良が生じても、内側導電路が電気接続していないので、モジュールとの誤接続がない。【００４９】
請求項８に記載の生体用電極の接続具は、スライダーが絶縁材料から形成されることを特徴とする。【００５０】
スライダーが絶縁材料から形成されるので、咬合線に沿って隣り合う内側エレメント間若しくは咬合線に沿って隣り合う外側エレメント間がスライダーを介してショートすることがない。【００５１】
請求項９に記載の生体用電極の接続具は、導電性内側エレメントと導電性外側エレメントは、導電性樹脂で成型され、咬合線に沿って隣り合う少なくとも一対の導電性内側エレメントの間に挟持されて咬合する外側エレメントと、咬合線に沿って隣り合う少なくとも一対の導電性外側エレメントの間に挟持されて咬合する内側エレメントは、絶縁樹脂で成型されることを特徴とする。【００５２】
全ての内側エレメントと外側エレメントを、成型樹脂を絶縁樹脂と導電樹脂とする２回の成型で成型できる。【００５３】
咬合線に沿って隣り合う一対の導電性内側エレメントの間に挟持されて咬合する外側エレメント及び咬合線に沿って隣り合う一対の導電性外側エレメントの間に挟持されて咬合する内側エレメントは、そけぞれ絶縁樹脂で成型されるので、咬合する相手側のエレメントを介して短絡しない。
【発明の効果】
【００５４】
請求項１の発明によれば、モジュールの周囲を囲う内側環状布帯と内側環状布帯の外側の縁に沿って着衣本体に形成される外側環状布帯とを連結するスライドファスナーで、モジュールを着衣本体に取り付けるので、モジュールをがたつきなく着衣本体に取り付けることができ、着衣本体から落下する恐れがない。【００５５】
また、子供や力の弱い老人であっても、スライダーをスライド操作する軽操作力で多数の生体用電極を確実にモジュールへ電気接続できる。【００５６】
また、モジュールの周囲から生体用電極に電気接続する内側導電路を引き出すことができるので、内側導電路に接続させるモジュールの入出力端子は、モジュールに搭載するバッテリーや他の回路部品の搭載位置と干渉せず、これらの回路部品を搭載する障害とならない。【００５７】
請求項２の発明によれば、装着する身体の外径よりサポーターの円筒状の内径をわずかに短くするだけで、自然に全ての生体用電極を体表面の所定位置へ密着させることができる。【００５８】
また、装着する身体の外径よりサポーターの円筒状の内径をわずかに短くするだけで、
作用  着衣本体の生地が伸縮するので、モジュールを体表面との間でがたつきなく、確実にサポータに取付けることができる。【００５９】
請求項３の発明によれば、外側導電路を着衣本体の形成とともに形成できる。【００６０】
また、着衣部の体表面と密着する背面に凹凸を生じさせることなく、外側導電路を形成できる。【００６１】
また、咬合線に沿って狭ピッチで帯状の外側導電路を形成できるので、狭ピッチで外側環状布帯に固定される導電性外側エレメントへ容易に外側導電路を電気接続できる。【００６２】
請求項４の発明によれば、着衣本体の形成の際に、複数の生体用電極と各生体用電極に接続する外側導電路を併せて形成できる。【００６３】
また、着衣部の体表面と密着する背面に凹凸を生じさせることなく、生体用電極を取付けることができる。【００６４】
請求項５の発明によれば、始めに咬合させる位置でピッチずれにより内側エレメントが他の組の外側エレメントと咬合しても、その後のピッチが異なって内側エレメントと外側エレメントが向かい合わず、スライダーがスライドしないので、異なる組の内側エレメントと外側エレメントとが誤って咬合することがなく、生体用電極は異なるモジュールの入出力端子に誤接続しない。【００６５】
請求項６の発明によれば、多数の導電性内側エレメントや導電性外側エレメントが防水カバーで覆われることによって防水され、導電性内側エレメントや導電性外側エレメントが腐食することがなく、また、一組で咬合する導電性内側エレメントと導電性外側エレメント以外の導電性エレメント間の絶縁不良を防止できる。
が生じることがない。【００６６】
請求項７の発明によれば、スライダーが停滞する位置で内側エレメントとの間に汗や水滴が滞留して、内側エレメントに絶縁不良が生じてもモジュールとの誤接続を防止できる。【００６７】
請求項８の発明によれば、スライダーが破損したり、ピッチずれして異なる組の導電性内側エレメントと導電性外側エレメントが接近しても、導電性内側エレメントと導電性外側エレメントがスライダーを介して誤接続することがない。【００６８】
請求項９の発明によれば、全ての内側エレメントと外側エレメントを２度の成型で形成できる。【００６９】
また、隣り合う導電性内側エレメント若しくは導電性外側エレメントは、その間に挟持される相手側のエレメントにより短絡することがないので、各生体用電極毎に確実にモジュールへ電気接続できる。
【図面の簡単な説明】
【００７０】
【図１】本願発明の一実施の形態に係る生体用電極の接続具１を示す斜視図である。
【図２】サポーター１０からモジュール３が固定されたモジュール支持シート２０を分離した状態を示す斜視図である。
【図３】スライドファスナー３０の構成を示す部分拡大図である。
【図４】向かい合う組毎の内側エレメント３２と外側エレメント３１が咬合する状態を示す要部拡大図である。
【図５】図４のＡ−Ａ線断面図である。
【図６】生体用電極の接続具１を用いた筋状態解析装置５０のブロック図である。
【図７】従来の生体用電極の接続具１００を示し、（ａ）は、着衣１０１の平面図、（ｂ）は、ポケットＰ内で密着して接続する導電性面ファスナー１０２、１０３を示す説明図である。
【図８】発明者が検討した生体用電極の接続具１１０を示す斜視図である。
【図９】従来のスライドファスナー１２５を用いた接続具１２０の説明図である。
【発明を実施するための形態】
【００７１】
本発明の一実施の形態に係る生体用電極の接続具（以下、単に接続具という）１は、四肢の随意筋が伸縮する際に筋に生じる筋電信号から筋の組成や活動状態を解析する図６に示す筋状態解析装置５０の入力部として用いられ、筋の体表面を覆う着衣本体であるサポーター１０と、サポーター１０の体表面に接する背面に露出する多数の生体用電極２と、各生体用電極２に表れる筋電信号を記憶部５３で記憶するモジュール３と、サポータ１０に対してモジュール３を着脱自在とし、サポーター１０にモジュール３が装着されている間に各生体用電極２とモジュール３とを電気接続するスライドファスナー３０とを備えている。
【００７２】
このように構成された接続具１を筋状態解析装置５０に用いることによって、例えば、自宅で筋トレーニングを行ってトレーニング中に筋から発生する筋電信号をモジュール３の記憶部５３に記憶しておき、後日、筋電信号を記憶部５３に記憶させたモジュール３のみを、トレーニングセンターなどの筋状態解析装置５０のある場所に持ち込んで、解析結果を表示装置５１で確認しながらトレーニング効果のアドバイスを受けることができる。
【００７３】
以下、この接続具１の各部の構成を、図１乃至図６を用いて、体表面に接する側を背面側と、体表面と逆側を表面側として説明する。図１に示すようにサポーター１０は、モジュール支持シート２０の周囲の外側環状布帯１１を除く全体が、伸縮性繊維の布地で円筒形に形成されている。円筒形の内径は、前腕の筋肉が位置する腕の体表面の内径よりわずかに短く、これにより前腕の筋肉が位置する腕にサポーター１０を装着すると、前腕の筋肉の体表面に伸張するサポーター１０の背面全体が密着する。
【００７４】
サポーター１０には、１チャンネルが２極で構成される１２チャンネル分の２４極に相当する２４個の生体用電極２と、リファレンス電極に相当する１個の生体用電極２とを加えた２５個の生体用電極２が、それぞれ体表面に密着する背面の異なる位置に取り付けられている。従って、腕周りに装着して伸張するサポーター１０により、各生体電極２は体表面に所定の接触圧で密着する。尚、本実施の形態では、各生体用電極２は、導電性線維の布地をサポーター１０を構成する絶縁性の伸縮性繊維の布地の背面から縫い付けて、サポーター１０の背面に形成している。
【００７５】
各生体用電極２がサポーター１０の背面に取付けられる位置は、サポーター１０を前腕の筋肉の体表面に密着させた際に、前腕の筋肉が発生する筋電信号が最も大きく表れる位置に設定され、これにより、前腕の筋肉の位置を知らない一般の使用者であっても、サポーター１０を腕周りの所定位置へ装着するだけで、自然に各生体用電極２は効果的に前腕の筋肉の筋電信号を検出する体表面の位置に密着する。
【００７６】
図２に示すように、サポーター１０には、モジュール支持部となるモジュール支持シート２０と連結する位置に、モジュール支持シート２０の輪郭に沿った長孔１３が穿設され、長孔１３の縁に沿った外側に外側環状布帯１１が形成されている。外側環状布帯１１には、スライドファスナー３０を構成する後述する多数の外側エレメント３１が、後述する内側環状布帯２１との合わせ目の咬合線Ｌ（ここでは長孔１３の輪郭線）に沿って後述するピッチＰｏで固定され、外側エレメント３１間のピッチが変動しないように、外側環状布帯１１は、非伸縮性繊維の布地で形成される。また、外側環状布帯１１の咬合線Ｌ寄りの端部１１ａは、後述するように外側環状布帯１１の端部１１ａが各外側エレメント３１から抜け出ないように円柱形リブとなっている。
【００７７】
多数の外側エレメント３１のうち２５個の各生体用電極２にそれぞれ対応する外側エレメント３１は、導電性外側エレメント３１ａとなっていて、サポーター１０には、各生体用電極２とその生体用電極２に対応させた導電性外側エレメント３１ａとを電気接続する外側導電路１２が形成されている。外側導電路１２は、各生体用電極２と対応する導電性外側エレメント３１ａとを電気接続するものであれば、リード線など種々の接続手段を採用できるが、ここでは、導電性線維の布地からなる生体用電極２とともにサポーター１０の布地に縫い付けて形成する為に、図１、図３に示すように、導電性線維の帯状の布地で形成している。
【００７８】
外側導電路１２を構成する導電性線維の布地は、サポーター１０の背面側の布地に生体用電極２から外側環状布帯１１の端部１１ａまで細長帯状に縫い付けられ、その背面側は体表面に接触しないように絶縁シート、絶縁性繊維の布地１４等で覆われている。
【００７９】
図６に示すマイクロコントローラ５２、記憶部５３、無線通信部５４及びこれらの駆動電源となる図示しないバッテリーなどを内蔵するモジュール３は、布地からなるモジュール支持シート２０の平面上に配置され、モジュール支持シート２０にモジュール３の平面側を覆う布地のモジュールカバー２５の周囲を縫い付けることにより、モジュール支持シート２０とモジュールカバー２５との間で挟持され、がたつきなく固定される。
【００８０】
図２に示すように、モジュール支持シート２０の輪郭は、連結する外側環状布帯１１の端部１１ａの輪郭にほぼ等しく、モジュール支持シート２０の輪郭から内側に一定幅の内側環状布帯２１と外側環状布帯１１の端部１１ａとの合わせ目がスライドファスナー３０で連結する咬合線Ｌとなる。咬合線Ｌに沿って所定のピッチＰｉで内側環状布帯１１に固定される後述する多数の内側エレメント３２の隣り合う内側エレメント３２間のピッチＰｉが変動しないように、内側環状布帯１１は非伸縮性繊維の布地で形成され、モジュール支持シート２０を伸縮性繊維の布地で形成する場合には、少なくとも内側環状布帯１１は、非伸縮性繊維の布地で形成する。また、内側環状布帯２１の全周の端部も、各内側エレメント３２を抜け出ることなく強固に固定するため円柱形リブとなっている。
【００８１】
図３に示す様に、２５個の各生体用電極２に表れる筋電信号をマイクロコントローラ５２の各入力端子へ入力させるため、モジュール３のモジュール支持シート２０に対向する底面には、マイクロコントローラ５２の各入力端子にそれぞれ接続する図示しない２５本の入力端子が露出している。
【００８２】
多数の内側エレメント３２のうちモジュール３の２５本の入力端子にそれぞれ対応する内側エレメント３２は、導電性内側エレメント３２ａとなっていて、モジュール支持シート２０には、モジュール３の２５本の入力端子をそれぞれ対応する導電性内側エレメント３２ａに電気接続する内側導電路２２が形成されている。内側導電路２２は、モジュール３の各入力端子と対応する導電性内側エレメント３２ａとを電気接続するものであれば、リード線など種々の接続手段を採用できるが、ここでは、導電性線維の帯状の布地で形成し、モジュール３の各入力端子に対向する位置から内側環状布帯２２の咬合線Ｌに達する端部まで、モジュール支持シート２０の平面上に細長帯状に縫い付けて形成している。
【００８３】
モジュール３をサポーター１０から着脱自在とするスライドファスナー３０は、咬合線Ｌに沿って内側環状布帯２１に互いに絶縁して固定される多数の内側エレメント３２と、咬合線Ｌに沿って外側環状布帯１１に互いに絶縁して固定される多数の外側エレメント３１と、咬合線Ｌに沿ってスライドし、咬合線Ｌで向かい合う内側エレメント３２と外側エレメント３１とを咬合し若しくは咬合を解除するスライダー３３とから構成される。
【００８４】
全ての外側エレメント３１は、導電性金属で縦長板状の同形状に形成され、図４に示すように、咬合線Ｌ上に位置する先端側は、咬合線Ｌに沿った一方（図中上方）に球冠状に湾曲し、外側環状布帯１１が接続する基端側には、図５に示す様に、外側環状布帯１１の端部１１ａを収容する鍵孔状のスリット３１０が凹設されている。各外側エレメント３１は、外側環状布帯１１の円柱形リブの端部１１ａをスリット３１０の内奥まで挿入したのち、スリット３１０で挟まれた外側環状布帯１１を上下方向から加締め、外側環状布帯１１の端部１１ａに固着する。
【００８５】
外側エレメント３１が導電性外側エレメント３１ａである場合には、スリット３１０には、外側環状布帯１１の端部１１ａまで縫い付けられる外側導電路１２を構成する導電性線維の布地が挿入されるので、導電性外側エレメント３１ａにより上下方向から加締められ、導電性外側エレメント３１ａは外側環状布帯１１に固定されるとともに外側導電路１２に電気接続する。
【００８６】
また、多数の外側エレメント３１の内、導電性外側エレメント３１ａ以外の外側エレメント３１は、全体に絶縁被覆が施された絶縁性外側エレメント３１ｂ（図３、図４において斜線で表示）となり、外側導電路１２が形成されていない外側環状布帯１１の端部１１ａに固定される。
【００８７】
全ての内側エレメント３２は、導電性金属で咬合線Ｌについて外側エレメント３１と左右対称となる縦長板状に形成される。すなわち、外側エレメント３１と同様に、咬合線Ｌ上に位置する先端側は、咬合線Ｌに沿って外側エレメント３１と同方向に球冠状に湾曲し、内側環状布帯２１が接続する基端側には、内側環状布帯２１の円柱形リブの端部を収容する鍵孔状のスリットが凹設され、スリット３１０で挟まれた内側環状布帯２１を上下方向から加締め、内側環状布帯２１の端部に固着する。
【００８８】
内側エレメント３２が導電性外側エレメント３２ａである場合には、同様にスリットに挿入される内側導電路２２を上下方向から加締め、導電性内側エレメント３２ａを内側環状布帯２１に固定するとともに内側導電路２２に電気接続する。
【００８９】
また、導電性内側エレメント３２ａ以外の内側エレメント３２についても、全体に絶縁被覆が施された絶縁性内側エレメント３２ｂ（図３、図４において斜線で表示）となり、内側導電路２２が形成されていない内側環状布帯２１の端部に固定される。
【００９０】
内側環状布帯２１に固定される多数の内側エレメント３２の咬合線Ｌに沿って隣り合う内側エレメント３２間のピッチＰｉは、後述する基端側で隣り合う内側エレメント３２間のピッチＰｉ’を除いて、咬合線Ｌに沿った外側エレメント３１の幅であり、咬合線Ｌについて外側エレメント３１と対称形状の内側エレメント２の幅であるので、内側エレメント３２は、内側環状布帯２１に咬合線Ｌに沿って１つおきの間隔で固定される。
【００９１】
また、基端側で咬合線Ｌに沿って隣り合ういずれか一対の内側エレメント３２間のピッチＰｉ’は、上記他の内側エレメント３２間のピッチＰｉの整数倍とならない長さとなっている。
【００９２】
一方、外側環状布帯１１に固定される多数の外側エレメント３１は、全ての外側エレメント３１が咬合線Ｌで向かい合う全ての内側エレメント３２と咬合するように、基端側でピッチＰｉ’で固定される一対の内側エレメント３２に向かい合う外側エレメント３１のピッチは、ピッチＰｉ’に等しいピッチＰｏ’で、その他の咬合線Ｌに沿って隣り合う外側エレメント３２間のピッチは、内側エレメント間のピッチＰｉに等しいピッチＰｏで、咬合線Ｌに沿って固定される。
【００９３】
従って、基端側の一部を除いて、各内側エレメント３２と各外側エレメント３１は、それぞれ咬合線Ｌで向かい合う相手側の一対の外側エレメント３１、３１若しくは１対の内側エレメント３２、３２に挟持された状態で咬合するが、図３、図４に示す様に、一対の導電性外側エレメント３１ａ、３１ａに挟持される内側エレメント３２と、一対の導電性内側エレメント３２ａ、３２ａに挟持される外側エレメント３１は、これらの導電性エレメント間の短絡を防止するために、それぞれ絶縁性内側エレメント３２ｂと絶縁性外側エレメント３１ｂとなっている。
【００９４】
図３に示す様に、いずれか特定の生体用電極２（図３において２ａと表示）をモジュール３の特定の入力端子（図３において３ａと表示）へ接続させる場合には、生体用電極２ａに対応して外側導電路１２を介して接続する導電性外側エレメント３１ａと、モジュール３の入力端子３ａに対応して内側導電路２２を介して接続する導電性内側エレメント３２ａとを、生体用電極２ａに対応して咬合する一組とし、それぞれ外側環状布帯１１と内側環状布帯２１の咬合線Ｌで向かい合う位置に固定する。
【００９５】
スライダー３３は、咬合線Ｌに沿って図２に示す基端位置（図２において長孔１３の下辺左寄りの位置）と図１に示す終端位置（長孔１３の左辺下方寄りの位置）との間で往復スライド自在となっていて、スライダー３３を咬合線Ｌに沿って基端位置から終端位置の方向へ図中反時計回りにスライドさせることにより、咬合線Ｌで向かい合う内側エレメント３２と外側エレメント３１が咬合する。また、スライダー３３を咬合線Ｌに沿って終端位置から基端位置の図中時計回りの方向にスライドさせることにより、咬合している内側エレメント３２と外側エレメント３１間の咬合が解かれる。
【００９６】
スライダー３３内には、複数の内側エレメント３２と外側エレメント３１が挿入されるので、スライダー３３を介してこれらの内側エレメント３２と外側エレメント３１が短絡しないように、ここではスライダー３３は絶縁樹脂で形成される。
【００９７】
咬合線Ｌに沿って固定される多数の内側エレメント３２と多数の外側エレメント３１のうち、それぞれ最も基端側の内側エレメント３２と外側エレメント３１が基端位置にあるスライダー３３内で向かい合い、始めに咬合する。従って、モジュール３をサポーター１０から取り外している状態では、この基端位置がスライダー３３の待機位置となっている。
【００９８】
待機位置にあるスライダー３３の側方から内側環状布帯２１の基端側を挿入し、最も基端側の一組の内側エレメント３２と外側エレメント３１を咬合させた後、スライダー３３を咬合線Ｌに沿って図中反時計回りにスライドすると、それぞれ咬合線Ｌに沿って同一ピッチであるので、咬合線Ｌで向かい合う各組の内側エレメント３２と外側エレメント３１が向かい合って順次咬合し、その間に各生体用電極２ａに対応する全ての組の導電性外側エレメント３１ａと導電性内側エレメント３２ａが咬合して、モジュール３の各入力端子に電気接続する。スライダー３３を終端位置までスライドすると向かい合う全ての組の内側エレメント３２と外側エレメント３１が咬合して、モジュール支持シート２０の内側環状布帯２１とサポーター１０の外側環状布帯１１が連結される。
【００９９】
一方、基端側で内側エレメント３２が異なる組の外側エレメント３１に誤って咬合した状態では、その後のスライダー３３のスライド方向にある内側エレメント３２間のピッチＰｉ’が、他の内側エレメント３２間のピッチＰｉの整数倍とならない長さとなっているので、ピッチＰｉに等しいピッチＰｏで固定される外側エレメント３１とピッチずれが生じて向かい合わず、スライダー３３をスライドさせることができなくなる。従って、生体用電極２ａに対応して咬合する一組の導電性外側エレメント３１ａと導電性内側エレメント３２ａが誤って異なる導電性内側エレメント３２や導電性外側エレメント３１に咬合して接続することがなく、誤接続を防止できる。
【０１００】
また、本実施の形態では、基端位置と終端位置にあるスライダー３３で覆われる全ての内側エレメント３２と外側エレメント３１を、絶縁性内側エレメント３２ｂと絶縁性外側エレメント３１ｂとし、これらのエレメント３１ｂ、３２ｂに内側導電路２２や外側導電路１２を接続しない。その結果、基端位置と終端位置で長時間停滞するスライダー３３とこれらの絶縁性内側エレメント３２ｂや絶縁性外側エレメント３１ｂとの間に毛細管現象により汗や水滴が付着しても、生体用電極２ａやモジュール３の入力端子に電気接続しないので、誤接続したり、短絡することがない。
【０１０１】
以下、このように構成された接続具１を、自宅で筋トレーニングを行ってトレーニング中に筋から発生する筋電信号をモジュール３の記憶部５３に記憶し、筋状態解析装置５０のある場所へ持ち込み、解析結果を表示装置５１で確認する筋状態解析装置５０の一部に用いる例で説明する。
【０１０２】
自宅で筋トレーニングを行う前に、モジュール３がサポーター１０に取り付けられていない場合には、図２に示す基端位置にあるスライダー３３の側方から内側環状布帯２１の基端側を挿入し、最も基端側の一組の内側エレメント３２と外側エレメント３１を咬合させ、続いて、スライダー３３を咬合線Ｌに沿って図中反時計回りに図１の終端位置までスライドし、全ての組となる内側エレメント３２と外側エレメント３１を咬合する。
【０１０３】
スライダー３３をスライド操作する間に、順次２５個の生体用電極２が対応するモジュール３の入力端子に接続されるので、モジュール３に電気接続する生体用電極２が多数であっても、軽操作力で全ての生体用電極２を電気接続できる。
【０１０４】
また、各生体用電極２の電気接続と同時に、モジュール３が固定されたモジュール支持シート２０とサポータ１０が連結されるので、モジュール３がサポータ１０の表面側に取付けられる。尚、このスライドファスナー３０を用いたモジュール３の取り付けは、サポーター１０を前腕の筋肉が位置する腕の体表面に取付ける前後のいずれであってもよい。
【０１０５】
モジュール３がサポーター１０に取付けられる状態において、モジュール３は、布地からなるモジュール支持シート２０とモジュールカバー２５に覆われて支持されるので、回路部品が実装されるプリント配線基板等のモジュール３を構成する硬い部品がそのまま体表面や外方に露出することがなく、体表面上にに違和感を与えることなく装着でき、接続具１１０のように係合突起１１３ａと係合凹部１１４ａを係合させてモジュールを保持する係合構造をとらないので、運動中にモジュール３から突出する一部が周囲に引っかかることもない。更に、布地のみでモジュール３を支持するため、重量がかさむことかなく、運動中に腕から不用意に落下させても布地が衝撃を吸収し、モジュール３が破損することもない。
【０１０６】
加えて、モジュール３が固定されるモジュール支持シート２０は、そのほぼ全周が腕の体表面に装着して伸張するサポーター１０に連結されるので、周囲の方向に引っ張られ、モジュール３を体表面に密着させる方向に付勢する。その結果、筋トレーニング中に腕を振って運動しても、モジュール３はがたつくことなく、体表面の変化に追従する。
【０１０７】
筋トレーニング中に前腕の筋肉から発生する筋電信号は、体表面に密着する２４個の生体用電極２に１２極の筋電信号としてマイクロコントローラ５２の各入力端子に入力され、記憶部５３に記憶される。
【０１０８】
自宅での筋トレーニングが終了した後、トレーニングセンターなどの筋状態解析装置５０のある別の場所にモジュール３のみを持ち込む際には、終端位置にあるスライダー３３を咬合線Ｌに沿って時計回りに基端位置までスライドし、咬合していた全ての外側エレメント３１と内側エレメント３２の咬合を解いて、モジュール３を固定するモジュール支持シート２０をサポーター１０から分離する。
【０１０９】
筋トレーニングの効果を確認する場合には、分離して筋状態解析装置５０の近くに持ち込んだモジュール３の無線通信部５４から筋状態解析装置５０の無線通信部５６を介して記憶部５３に記憶させた１２極の筋電信号を筋状態検出部５５へ出力する。筋状態検出部５５は、入力された１２極の筋電信号から筋トレーニング中の前腕の筋肉の組成や活動状態を解析し、その解析結果を表示装置５１に表示するので、利用者は、表示装置５１に表示される解析結果から、筋トレーニングの効果を確認したり、アドバイスを受けることができる。
【０１１０】
上述の実施の形態では、外側エレメント３１と内側エレメント３２を導電性金属材料で形成したが、合成樹脂で成型してもよく、その場合に、導電性エレメントは導電性樹脂で、絶縁性エレメントは、絶縁樹脂で、２度の成型に分けて着衣本体１０やモジュール支持部２０にアウトサート成型してもよい。また、絶縁合成樹脂でエレメントを成形し、導電性とするエレメントには、表面に導体をメッキなどで付着させてもよい。
【０１１１】
また、上述の実施の形態では、着衣本体であるサポーター１０に長孔１３を穿設したが、孔１３をあけずに、内側環状布帯２１の縁に沿って着衣本体の表面に外側環状布帯１１を形成するものであってもよい。
【０１１２】
また、内側エレメント３２と外側エレメント３１が露出する内側環状布帯２１と外側環状布帯１１の表面を、モジュール支持部２０若しくは着衣本体１０に取付けた防水カバーで覆い、内側エレメント３２や外側エレメント３１への水滴の付着を防止してもよい。
【０１１３】
更に、内側エレメント３２間のピッチＰｉや外側エレメント３１間のピッチＰｏが変化しないような補強構造を加えれば、必ずしも外側環状布帯１１や内側環状布帯２１を非伸縮性の布地で形成する必要はなく、伸縮性繊維の布地からなるサポーター１０やモジュール支持シート２０を咬合線Ｌまで延長させて外側環状布帯１１や内側環状布帯２１としてもよい。
【０１１４】
更に、本発明に係る生体用電極の接続具は、モジュール３側から体表面に密着させた生体用電極２へ筋刺激信号を出力し、筋をトレーニングする用途でも用いることができる。
【産業上の利用可能性】
【０１１５】
本発明は、複数の生体用電極が取付けられた着衣本体に、生体用電極との間で電気信号を入出力するモジュールを着脱自在とする生体用電極の接続具に適している。
【符号の説明】
【０１１６】
１  生体用電極の接続具
２  生体用電極
３  モジュール
１０  着衣本体（サポーター）
１１  外側環状布帯
１２  外側導電路
２０  モジュール支持部（モジュール支持シート）
２１  内側環状布帯
２２  内側導電路
３０  スライドファスナー
３１  外側エレメント
３１ａ  導電性外側エレメント
３１ｂ  絶縁性外側エレメント
３２  内側エレメント
３２ａ  導電性内側エレメント
３２ｂ  絶縁性内側エレメント
３３  スライダー
【図１】
2018220729.tif 000003
【図２】
2018220729.tif 000004
【図３】
2018220729.tif 000005
【図４】
2018220729.tif 000006
【図５】
2018220729.tif 000007
【図６】
2018220729.tif 000008
【図７】
2018220729.tif 000009
【図８】
2018220729.tif 000010
【図９】
2018220729.tif 000011
【国際調査報告】
2018220729.tif 000012
2018220729.tif 000013
2018220729.tif 000014
2018220729.tif 000015